(57)【要約】【課題】防水、防火構造を有しないコストが安い太陽電池モジュールを使い、それに伴うコストの低減を実現しつつ、建材一体型太陽電池モジュールを設置した状態と同等の美観で、太陽電池モジュール、屋根形状と屋根材の選択の自由度を高めた太陽電池モジュールの取付け施工方法を提供する。【解決手段】建物の野地板２９の表面に、取付けられる太陽電池モジュール２５よりも広い範囲に複数の凸条部を有した波状屋根葺材１を配置し、波状屋根葺材１の凸条部に太陽電池モジュール２５を取付けるための横桟２６を固定した上で、横桟２６に固定された太陽電池モジュール２５の周囲を囲えるように野地板２９に周辺屋根材３１を固定する太陽電池モジュールの取付方法。【選択図】図４
2007217904.tif 000002
【特許請求の範囲】
【請求項１】
建物の野地板の表面に、取付けられる太陽電池モジュールよりも広い範囲に複数の凸条部を有した波状屋根葺材を配置し、該波状屋根葺材の前記凸条部に前記太陽電池モジュールを取付けるための架台を固定した上で、該架台に固定された前記太陽電池モジュールの周囲を囲えるように野地板に屋根葺材を固定することを特徴とする太陽電池モジュールの取付方法。
【請求項２】
前記架台は、取付部材によって前記凸条部から前記波状屋根葺材を貫通して野地板に固定されることを特徴とする請求項１に記載の太陽電池モジュールの取付方法。
【請求項３】
野地板の表面に配置された前記波状屋根葺材の左右両端には、野地板と前記波状屋根葺材との間に、屋根の流れ方向に沿って両端に折返し部を有した側面部材の一方の折返し部が配置されることを特徴とする請求項１又は請求項２に記載の太陽電池モジュールの取付方法。
【請求項４】
野地板の表面に配置された前記波状屋根葺材の上端には、屋根の左右方向に沿って両端に折返し部を有した棟側部材の一方の折返し部が前記凸条部の上側に固定され、他方の折返し部が前記波状屋根葺材の上側の野地板に固定されることを特徴とする請求項１から請求項３までの何れか一つに記載の太陽電池モジュールの取付方法。
【発明の詳細な説明】
【技術分野】
【０００１】
本発明は、建物の屋根等に設置される太陽電池モジュールの取付方法に関するものである。
【背景技術】
【０００２】
近年のＣＯ２の増加による地球温暖化現象の問題は深刻な状況にあり、又今後世界的にエネルギー消費量が予想される中、資源の枯渇化が重大な問題となっている。そこで、ＣＯ２を排出せず、資源の制約や環境負荷の少ない太陽光エネルギーは重要な位置を占めるものである。この太陽光エネルギーを電気に変換する太陽電池モジュールが現在注目されている。
【０００３】
その中でも、屋根葺材として直接野地板に設置する太陽電池モジュールは防水、防火構造を持ち、また、架台を使用せずに低コストで容易な施行で住宅の屋根に取り付けることができ、また、美観を損なうことがないようになっているものが知られている。
【０００４】
【特許文献１】特開２０００−２９７５０９号公報
【発明の開示】
【発明が解決しようとする課題】
【０００５】
しかしながら、従来の防水、防火構造を有する太陽電池モジュール（以下、本明細書においては、これらを総称して建材一体型太陽電池モジュールという。）は、施工が安価であっても全体的にはコストが非常に高く経済性に問題があり、建材一体型太陽電池モジュールの種類も限られている。また、対応する屋根形状と屋根葺材が予め決まっており、ユーザーによる建材一体型太陽電池モジュール、屋根形状と屋根葺材の選択の自由度が低い問題があった。
【０００６】
そこで、本発明は上記の実状に鑑み、防水、防火構造を有しないコストが安い太陽電池モジュールを用いても、建材一体型太陽電池モジュールを設置した状態と同等の美観を有し、太陽電池モジュール、屋根形状と屋根葺材の選択の自由度を高めることのできる太陽電池モジュールの取付方法を提供することを課題とするものである。
【課題を解決するための手段】
【０００７】
本発明に係る太陽電池モジュールの取付方法は、「建物の野地板の表面に、取付けられる太陽電池モジュールよりも広い範囲に複数の凸条部を有した波状屋根葺材を配置し、該波状屋根葺材の前記凸条部に前記太陽電池モジュールを取付けるための架台を固定した上で、該架台に固定された前記太陽電池モジュールの周囲を囲えるように野地板に屋根葺材を固定する」ことを特徴とする。
【０００８】
ここで、波状屋根葺材としては、具体的な構成を限定するものではないが、凸条部が等間隔で連続して形成されているものや、複数の凸条部が一群となっていると共にその一群が所定の間隔で形成されているもの等を例示することができる。なお、凸条部が野地板を支持する垂木のピッチと対応した位置に凸条部が形成された波状屋根葺材とすることが望ましい。また、防水・防火性に優れた波状屋根葺材を用いることが望ましい。
【０００９】
また、凸条部の高さは、１０〜３０ｍｍ程度が望ましく、１０ｍｍ以下では、排水性が低く多量の雨が降った場合、雨水が凸条部の頂部まで至って、架台を凸条部に固定するための釘やネジ等の取付部材が取付けられた部位から漏水する恐れがあり、また、３０ｍｍ以上では、太陽電池モジュールと凹部（波状屋根葺材の凹部）との間が大きくなり、太陽電池モジュールと波状屋根葺材との間に、鳥、落ち葉等が侵入し易くなりそれらが進入して凹部が詰り、排水性が低下して上記と同様の問題が発生する恐れがある。さらに、周辺屋根材との太陽電池モジュールの高さ方向の段差が大きくなり、美観が悪くなる恐れがある。
【００１０】
本発明によると、野地板と太陽電池モジュールとの間に、波状屋根葺材を配置しているので、従来のようにコストの高い建材一体型太陽電池モジュールを用いなくても、波状屋根葺材により所定の防水・防火性を達成させることが可能となり、安価な太陽電池モジュールを用いることができ、コストを低減させることができる。特に、波状屋根葺材に防水・防火性に優れたものを用いることで、より高い防水・防火性を実現することができる。更に、太陽電池モジュールの下部を、波状屋根葺材の凹部により通風の確保ができ、太陽電池モジュールの温度上昇による発電効率が下がることを抑えることができる。
【００１１】
また、従来の建材一体型太陽電池モジュールを用いる必要が無いので、種々の形態の太陽電池モジュールを用いることができると共に、種々の屋根形状や屋根葺材に対応させることができる、それらの選択自由度を高めることができる。
【００１２】
なお、波状屋根葺材の凸条部の高さを１０〜３０ｍｍ程度とすることが望ましく、これにより、充分な防水性を確保することができると共に、波状屋根葺材の周囲に配置される瓦やスレート等の屋根葺材との段差をできるだけ少なくすることができ、従来の建材一体型太陽電池モジュールを設置した状態と同等の美観を得ることができる。
【００１３】
本発明に係る太陽電池モジュールの取付方法は、「前記架台は、取付部材によって前記凸条部から前記波状屋根葺材を貫通して野地板に固定される」ことを特徴とする。
【００１４】
本発明によると、架台は、太陽電池モジュールのフレームの側面形状に関連して形成してあるため、太陽電池モジュールを容易に固定し易くなっており、これを波状屋根葺材の凸条部に設置し、木ネジや釘等の取付部材で野地板に架台を固定する。波状屋根葺材の凸条部に設置することで雨水が浸入し難く、また、架台と波状屋根葺材を同時に野地板に固定することができる。
【００１５】
この際、固定される位置は、太陽電池モジュールに関連した取付ピッチになる。
【００１６】
本発明に係る太陽電池モジュールの取付方法は、「野地板の表面に配置された前記波状屋根葺材の左右両端には、野地板と前記波状屋根葺材との間に、屋根の流れ方向に沿って両端に折返し部を有した側面部材の一方の折返し部が配置される」ことを特徴とする。
【００１７】
ここで側面部材とは、Ｌ型またはＩ型に形成されＬ型は周辺屋根材が陶器瓦等に使用し、Ｉ型は周辺屋根材が彩色スレート屋根材に使用するなど、周辺屋根材に最も適した型を使用され、側面部材には両端部に折返し部を有しており、波状屋根葺材の左右に配置され、雨水を軒側へ排水することを役目とする。
【００１８】
本発明によると、側面部材の両端部の折返し部は板厚を厚くする事なく剛性を上げることができ、コストを削減しながら必要な強度が得られると共に、野地板側に設置した辺の折返し部は、これにより屋根の中心部へ雨水が流れようとしても、折返し部により雨水が阻止し、波状屋根葺材と野地板との隙間に雨水が浸入するのを防止することができる。
【００１９】
本発明に係る太陽電池モジュールの取付方法は、「野地板の表面に配置された前記波状屋根葺材の上端には、屋根の左右方向に沿って両端に折返し部を有した棟側部材の一方の折返し部が前記凸条部の上側に固定され、他方の折返し部が前記波状屋根葺材の上側の野地板に固定される」ことを特徴とする。
【００２０】
ここで棟側部材とは、野地板の表面に配置された波状屋根葺材の上端に配置され、屋根の左右方向に沿って両端に折返し部を有しており、屋根の棟側から流れてくる雨水を波状屋根葺材の表面へ傾斜した面を通じて排水することを役目とする。
【００２１】
本発明によると、棟側部材の端部の折返し部は板厚を厚くする事なく剛性を上げることができ、コストを削減しながら必要な強度が得られると共に、野地板側に設置した辺の折返し部は上方向に向いておりこれにより屋根の棟側へ雨水が逆流しようとしても、折返し部により雨水が阻止し、波状屋根葺材と野地板との隙間に雨水が浸入するのを防止でき、一方の折返し部は下方向に向いており、剛性を増すと共に、端部を外に露出しない事で錆び難くすることができる。
【発明の効果】
【００２２】
上記のように本発明によると、防水、防火構造を有しないコストが安い太陽電池モジュールを用いても、建材一体型太陽電池モジュールを設置した状態と同等の美観を有し、太陽電池モジュール、屋根形状と屋根葺材の選択の自由度を高めることのできる太陽電池モジュールの取付方法を提供することができる。
【発明を実施するための最良の形態】
【００２３】
以下、本発明を実施するための最良の形態である太陽電池モジュールの取付方法について、図１乃至図９に基づいて詳細に説明する。図１（ａ）は、本発明の太陽電池モジュールの取付方法に用いる波状屋根葺材の一例を示す平面図であり、（ｂ）は（ａ）の底面図であり、（ｃ）は（ａ）の斜視図である。図２（ａ）は、本発明の太陽電池モジュールの取付方法に用いる側面部材のＬ型の一例を示す斜視図であり、（ｂ）は、側面部材のＩ型の一例を示す斜視図である。また、図３は、本発明の太陽電池モジュールの取付方法に用いる棟側部材の一例を示す斜視図である。更に、図４は、野地板に図１に示す波状屋根葺材と図２に示す側面部材とを取付け、さらに架台を設置し、太陽電池モジュールを取り付けた状態で示す断面図である。図５は、周辺屋根材が彩色スレート屋根材だった場合の太陽電池モジュールを取り付けた状態で示す断面図である。更に図６は、図４の右側端を拡大した断面図である。図７は、野地板に図１に示す波状屋根葺材を取り付け、前記波状屋根葺材の凸部に横桟を設置し、太陽電池モジュールの一例を組み付けた状態で示す断面図である。更に図８は、図７の太陽電池モジュールと異なる形状の太陽電池モジュールを組み付けた状態で示す断面図である。図９は波状屋根葺材の一例を示す斜視図である。
【００２４】
以下、本発明を添付図面に示す実施形態に基づいて説明する。まず、本例の太陽電池モジュールの取付方法に用いる波状屋根葺材１を説明する。図１（ａ）に示すように、波状屋根葺材１は縦長の長方形で、凸部７から右側傾斜部８で斜めに降り凹部９へ、さらに左側傾斜部１０で斜めに上り、凸部７へ繋がっており、これを連続した凹凸を具備している。この凸部７と左右側の傾斜部８，１０とで、凸条部が形成されている。
【００２５】
この凸条部の高さは、１０〜３０ｍｍ程度が望ましく、１０ｍｍ以下では、排水性が低く多量の雨が降った場合、雨水が凸条部の頂部まで至って、架台（後述の横桟２６）を凸条部に固定するための釘やネジ等の取付部材が取付けられた部位から漏水する恐れがあり、また、３０ｍｍ以上では、太陽電池モジュール２５（図４、図５等を参照）と凹部（波状屋根葺材１の凹部９の部分）との間が大きくなり、太陽電池モジュール２５と波状屋根葺材１との間に、鳥、落ち葉等が侵入し易くなりそれらが進入して凹部９が詰り、排水性が低下して上記と同様の問題が発生する恐れがある。さらに、周辺屋根材との太陽電池モジュールの高さ方向の段差が大きくなり、美観が悪くなる恐れがある。
【００２６】
この波状屋根葺材１の凹部９によって、太陽電池モジュール２５の下部の通風の確保ができ、太陽電池モジュール２５の温度上昇による発電効率が下がることを抑えることができる。なお、波状屋根葺材１の材質は、ガルバニュウム鋼板で、色はブラックである。
【００２７】
続いて、本例の太陽電池モジュールの取付方法に用いる側面部材１１を説明する。側面部材１１は図２に示すように縦長の長方形で、長辺の両端部に折返し部１４，１６を具備しており、これによって剛性を上げることができ、コストを削減しながら必要な強度が得られると共に、野地板に接する面の折返し部１６は、これにより屋根の中心部へ雨水が流れようとしても、折返し部１６により雨水の阻止し、波状屋根葺材１と野地板２９（図４、図５等を参照）との隙間に雨水が浸入するのを防止できる構造となっている。なお、側面部材１１の材質は、ガルバニュウム鋼板で、色はブラックである。
【００２８】
更に、本例の太陽電池モジュールの取付方法に用いる棟側部材１９を説明する。棟側部材１９は、図３に示すように折返し部を有し野地板に接する面２０と折返し部を有し波状屋根葺材１の凸部７の平面に接する面２２を傾斜部２４で繋いだ形状である。
【００２９】
この棟側部材１９の端部の折返し部は、板厚を厚くする事なく剛性を上げることができ、コストを削減しながら必要な強度が得られると共に、野地板２９側に設置した面の折返し部２１は上方向に向いておりこれにより屋根の棟側へ雨水が逆流しようとしても、折返し部により雨水が阻止し、波状屋根葺材１と野地板２９との隙間に雨水が浸入するのを防止でき、一方の折返し部２３は下方向に向いており、剛性を増すと共に、端部を外に露出しない事で錆び難くする構造となっている。なお、棟側部材１９の材質は、ガルバニュウム鋼板で、色はブラックである。
【００３０】
次に、本例における太陽電池モジュールの取付方法について、施工手順に沿って詳細に説明する。本実施形態の太陽電池モジュールの施工方法は、第一の手順で、図４に示すように野地板２９の左右一方のどちらかの端に、屋根の流れ方向に沿って、登り木２８を野地板２９に固定し、図２に示した側面部材１１を登り木２８に沿わして、側面部材１１の野地板２９に接する面１２の上辺１５あたりに木ネジや釘等の取付部材で固定し、図６に示すように引掛部材３２を側面部材１１の折返し１４に引掛け、登り木２８に木ネジや釘等の取付部材３３で登り木２８の上面で固定する。
【００３１】
第二の手順で、図１に示す波状屋根葺材１の凹部９の裏面６を、左右の一方の端に固定した側面部材１１の野地板２９に接する面１２の上から重なるように置き、波状屋根葺材１の上辺２のあたりを木ネジや釘等の取付部材２７で固定する（図４参照）。
【００３２】
第三の手順で、波状屋根葺材１の下辺３を建物屋根の軒先に沿って順次配列して１段目を葺き、１枚の波状屋根葺材１の上辺２あたりの凹部９を木ネジや釘等の取付部材２７で固定する。
【００３３】
第四の手順で、先の手順で左右一方の端に固定した側面部材１１の逆側に使う側面部材１１の野地板に接する面１２を波状屋根葺材１の凹部９の裏面６の側面から差し込み、野地板２９に接する面１２の上辺１４あたりに木ネジや釘等の取付部材２７で固定する。このとき、側面部材１１は左右兼用になっており、コストダウンに繋げることができる。
【００３４】
第五の手順で、波状屋根葺材１を軒先と平行の１段目、その上に２段目というように、波状屋根葺材１の凸部７を左右方向及び上下方向に部分的に重ねて配列される。このように配列された波状屋根葺材１の上下方向の重なりは３００ｍｍ以上とし、太陽電池モジュール２５のサイズに合わせて重なり寸法を調整する。これによって、あらゆる太陽電池メーカの太陽電池モジュールが使用でき、ユーザーによる太陽電池モジュールの選択の自由度が高めることができる。
【００３５】
第六の手順で、配列した最上段の波状屋根葺材１の棟側に、屋根の左右方向に沿って、棟側部材１９の折返し部２１を野地板２９に接する面２０を木ネジや釘等の取付部材２７で固定する。更に折返し部２３を波状屋根葺材１の凸部７の平面に接する面２２を木ネジや釘等の取付部材２７で波状屋根葺材１を貫通して、野地板２９に固定する。これにより、屋根の棟側から流れてきた雨水を、折返し部を有し野地板に接する面２０から傾斜部２２へ伝わり、さらに折返し部を有し波状屋根葺材１の凸部７の平面に接する面２２から、波状屋根葺材１に排水される。
【００３６】
第七の手順で、図４に示すように、周辺屋根材３１を納める。上記のようにして葺かれた波状屋根葺材１、側面部材１１、棟側部材１９はこれ自身が屋根としての機能を有する。
【００３７】
これにより、屋根において、降雨があった際には上下方向の重なり部分で毛細管現象が生じ、雨水が棟方向に遡上するが、上下方向の重なりが３００ｍｍ以上あれば毛細管現象で遡上した雨水は、上端まで達することがない。
【００３８】
第八の手順で、波状屋根葺材１の上に、太陽電池モジュール２５を設置するにあたっては、図７に示すように波状屋根葺材１の複数の凸部に跨いで、横桟２６を設置する。この際、横桟２６を固定する取付部材２７は、野地板２９を支持する垂木３０に固定することにより、さらに強固に固定できる。
【００３９】
第八の手順で、軒先と平行の１段目、その上に２段目というように、上下方向に太陽電池モジュール２５に関連する寸法で配列される。
【００４０】
第九の手順で、上記固定の横桟２６に太陽電池モジュール２５を取付ける。この際、固定用部材３４を太陽電池モジュール２５の枠フレームと横桟２６に引っ掛け固定する。軒カバー３５を最も軒側の横桟２６に設置し、棟カバー３６を最も棟側の横桟２６に設置する。最後に中間カバー３７を設置する。このとき、軒カバーは波状屋根葺材１の軒先小口を隠す役目がある。
【００４１】
このように、本実施形態によると、野地板２９と太陽電池モジュール２５との間に、波状屋根葺材１を配置しているので、従来のようにコストの高い建材一体型太陽電池モジュールを用いなくても、波状屋根葺材１により所定の防水・防火性を達成させることが可能となり、安価な太陽電池モジュール２５を用いることができ、コストを低減させることができる。特に、波状屋根葺材１に防水・防火性に優れたものを用いることで、より高い防水・防火性を実現することができる。更に、太陽電池モジュール２５の下部を、波状屋根葺材１の凹部９により通風の確保ができ、太陽電池モジュール２５の温度上昇による発電効率が下がることを抑えることができる。
【００４２】
また、従来の建材一体型太陽電池モジュールを用いる必要が無いので、種々の形態の太陽電池モジュール２５を用いることができると共に、種々の屋根形状や屋根葺材に対応させることができる、それらの選択自由度を高めることができる。
【００４３】
更に、波状屋根葺材１の凸条部に横桟２６（架台）を設置することで雨水が浸入し難く、また、横桟２６と波状屋根葺材１を同時に野地板２９に固定することができる。
【００４４】
また、側面部材１１の両端部の折返し部１４，１６は板厚を厚くする事なく剛性を上げることができ、コストを削減しながら必要な強度が得られると共に、野地板２９側に設置した辺の折返し部１６は、これにより屋根の中心部へ雨水が流れようとしても、折返し部１６により雨水が阻止し、波状屋根葺材１と野地板２９との隙間に雨水が浸入するのを防止することができる。
【００４５】
更に、棟側部材１９の端部の折返し部２１，２３は板厚を厚くする事なく剛性を上げることができ、コストを削減しながら必要な強度が得られると共に、野地板２９側に設置した辺の折返し部２１は上方向に向いておりこれにより屋根の棟側へ雨水が逆流しようとしても、折返し部２１により雨水が阻止し、波状屋根葺材１と野地板２９との隙間に雨水が浸入するのを防止でき、一方の折返し部２３は下方向に向いており、剛性を増すと共に、端部を外に露出しない事で錆び難くすることができる。
【００４６】
以上、本発明について好適な実施形態を挙げて説明したが、本発明はこれらの実施形態に限定されるものではなく、以下に示すように、本発明の要旨を逸脱しない範囲において、種々の改良および設計の変更が可能である。
【００４７】
すなわち、本実施形態では波状屋根葺材１に凸条部が等間隔で連続して形成されているものを示したが、図９に示すような複数の凸条部が一群となっていると共にその一群が所定の間隔で形成されている波状屋根葺材４４でも良い。これにより、折り曲げの回数が低減されコストダウンに繋がることができ、またデザインが単調にならず意匠性に富むことができる。また、凸条部が野地板を支持する垂木のピッチと対応した位置に凸条部が形成された場合、取付部材が垂木に固定できさらに強固に固定できる。
【００４８】
また、本実施形態では、周辺屋根材３１として陶器瓦を使用したものを示したが、周辺部材として彩色スレート屋根材としても良く、この場合、図２（ｂ）のＩ型の側面部材１８を使用する。また、図５は、野地板に図１に示す波状屋根葺材と図２（ｂ）に示すＩ型の側面部材とを取付けた状態で示す断面図である。
【００４９】
更に、本実施形態では、図７に示したような断面形状の太陽電池モジュール２５を用いたものを示したが、図８に示すような断面形状の太陽電池モジュール３８を用いても良い、この場合、その太陽電池モジュール３８に合致した形状を持つ、横桟３９を太陽電池モジュール３８に関連した寸法で、取付部材２７で固定する。
【００５０】
そして、固定した横桟３９に太陽電池モジュール３８を設置し、軒側は軒カバー４０で太陽電池モジュール３８を押さえ、袋ナット４３で固定し、棟側は棟カバー４１で太陽電池モジュール３８を押さえ、袋ナット４３で固定する。さらに、中間は中間カバー４２で太陽電池モジュール３８を押さえ、袋ナット４３で固定する。以上のような手順で太陽電池モジュールが異なった場合でも取付ことができる。
【図面の簡単な説明】
【００５１】
【図１】（ａ）は、本発明の太陽電池モジュールの取付方法に用いる波状屋根葺材の一例を示す平面図、（ｂ）は（ａ）の底面図であり、（ｃ）は（ａ）の斜視図である。
【図２】（ａ）は、側面部材のＬ型の一例を示す斜視図、（ｂ）は、側面部材のＩ型の一例を示す斜視図である。
【図３】棟側部材の一例を示す斜視図である。
【図４】野地板に図１に示す波状屋根葺材と図２に示す側面部材とを取付け、さらに架台を設置し、太陽電池モジュールを取り付けた状態で示す断面図である。
【図５】周辺屋根材が彩色スレート屋根材だった場合の太陽電池モジュールを取り付けた状態で示す断面図である。
【図６】図４の右側端を拡大した断面図である。
【図７】野地板に図１に示す波状屋根葺材を取り付け、前記波状屋根葺材の凸部に横桟を設置し、太陽電池モジュールの一例を組み付けた状態で示す断面図である。
【図８】図７の太陽電池モジュールと異なる形状の太陽電池モジュールを組み付けた状態で示す断面図である。
【図９】波状屋根葺材の一例を示す斜視図である。
【符号の説明】
【００５２】
１  波状屋根葺材
２  上辺
３  下辺
４  右側
５  左側
６  凹部の裏面
７  凸部
８  右側傾斜部
９  凹部
１０左側傾斜部
１１  側面部材
１２  面
１３  垂直面
１４  折返し部
１５  上辺
１６  折返し部
１７  下辺
１８  側面部材
１９  棟側部材
２０  面
２１  折返し部
２２  面
２３  折返し部
２４  傾斜部
２５  太陽電池モジュール
２６  横桟
２７  取付部材
２８  登り木
２９  野地板
３０  垂木
３１  周辺屋根材
３２  引掛部材
３３  取付部材
３４  固定用部材
３５  軒カバー
３６  棟カバー
３７  中間カバー
３８  太陽電池モジュール
３９  横桟
４０  軒カバー
４１  棟カバー
４２  中間カバー
４３  袋ナット
【図１】
2007217904.tif 000003
【図２】
2007217904.tif 000004
【図３】
2007217904.tif 000005
【図４】
2007217904.tif 000006
【図５】
2007217904.tif 000007
【図６】
2007217904.tif 000008
【図７】
2007217904.tif 000009
【図８】
2007217904.tif 000010
【図９】
2007217904.tif 000011